Podtech/llm-jp-corpus-v4-ja_patent huggingface dataset:
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
接近した状態で被写体の一部を測定する測定器に設けられたマーカを、前記被写体とともに撮像する撮像部と、
前記撮像部による撮像で得られる撮像画像に基づいて、前記被写体に対する前記マーカの位置を表すマーカ位置を算出する位置算出部と、
前記マーカ位置が、前記被写体の一部を測定するときのマーカ位置である測定位置と一致した場合、予め決められた制御処理を行う制御部と
を含む情報処理装置。
【請求項２】
前記マーカは、点灯又は消灯することにより、予め決められた点滅パターンで点滅する発光部であり、
前記撮像画像内の前記マーカの点灯又は消灯に基づいて、前記マーカの点滅パターンを検知するパターン検知部を
さらに含む請求項１に記載の情報処理装置。
【請求項３】
前記マーカは、前記測定器の状態を表す前記点滅パターンで点滅し、
前記パターン検知部の検知結果に基づいて、前記測定器の状態を表示部に表示させる表示制御部を
さらに含む請求項２に記載の情報処理装置。
【請求項４】
前記制御部は、前記マーカ位置が、前記測定器が移動する軌跡上の各測定位置と一致する毎に、予め決められた制御処理を行う
請求項１乃至３のいずれかに記載の情報処理装置。
【請求項５】
前記制御部は、前記マーカ位置が前記測定位置と一致した場合、その旨をユーザに報知させる第１の前記制御処理、又は前記測定器を制御して、前記測定器に前記被写体の一部を測定させる第２の前記制御処理の少なくとも一方を行う
請求項１乃至４のいずれかに記載の情報処理装置。
【請求項６】
前記測定器の傾きを識別する傾き識別部をさらに含む
請求項１乃至５のいずれかに記載の情報処理装置。
【請求項７】
前記測定器は、前記測定器の動きをセンシングするセンサを有し、
前記傾き識別部は、前記センサのセンシング結果に基づいて、前記測定器の傾きを識別する
請求項６に記載の情報処理装置。
【請求項８】
前記マーカは、前記測定器の筐体に設けられた図形であり、
前記傾き識別部は、前記撮像画像内の前記図形の形状に基づいて、前記測定器の傾きを識別する
請求項６に記載の情報処理装置。
【請求項９】
前記測定器は、接近した状態で撮像を行うことにより、前記被写体の肌を測定し、
前記測定器の撮像により得られた複数の肌画像に基づいて、前記複数の肌画像をつなぎ合わせた全体肌画像を生成する生成部を
さらに含む請求項１乃至５のいずれかに記載の情報処理装置。
【請求項１０】
前記測定位置までの距離を測定する距離測定部と、
前記測定位置と前記距離に基づいて、前記肌画像の３次元位置を算出する３次元位置算出部と
をさらに含み、
前記生成部は、複数の前記肌画像の３次元位置にも基づいて、前記被写体の肌を立体的に表示する前記全体肌画像を生成する
をさらに含む請求項９に記載の情報処理装置。
【請求項１１】
前記測定器は、
前記被写体の一部に対して、複数の異なる波長の光を照射する照射部と、
複数の異なる波長毎に、前記波長の光が照射されているときの肌の撮像を行うことにより、前記被写体の一部を測定するカメラ測定部と
を有する
請求項１乃至５のいずれかに記載の情報処理装置。
【請求項１２】
前記測定器は、前記情報処理装置に着脱自在とされる
請求項１乃至５のいずれかに記載の情報処理装置。
【請求項１３】
前記測定器は、前記情報処理装置に装着された状態で充電可能とされる
請求項１２に記載の情報処理装置。
【請求項１４】
前記測定器は、
前記被写体の一部を接写するカメラ測定部と、
前記カメラ測定部を囲む筒状の形状を有し、前記被写体の一部に押し当てられたときにオン状態とされる鏡筒部と、
ユーザの回転操作に応じて、前記カメラ測定部の光軸を中心として回転される回転部と
を有する請求項１乃至５のいずれかに記載の情報処理装置。
【請求項１５】
前記カメラ測定部は、前記鏡筒部がオン状態とされたときに、前記被写体の一部を接写し、
前記回転部は、前記カメラ測定部の動作に関する動作モードを切り替える際に、前記カメラ測定部の光軸を中心として回転される
請求項１４に記載の情報処理装置。
【請求項１６】
接近した状態で被写体の一部を測定する測定器に設けられたマーカを、前記被写体とともに撮像する撮像部を有する情報処理装置の情報処理方法において、
前記撮像部による撮像で得られる撮像画像に基づいて、前記被写体に対する前記マーカの位置を表すマーカ位置を算出する位置算出ステップと、
前記マーカ位置が、前記被写体の一部を測定するときのマーカ位置である測定位置と一致した場合、予め決められた制御処理を行う制御ステップと
を含む情報処理方法。
【請求項１７】
接近した状態で被写体の一部を測定する測定器に設けられたマーカを、前記被写体とともに撮像する撮像部を有する情報処理装置のコンピュータを、
前記撮像部による撮像で得られる撮像画像に基づいて、前記被写体に対する前記マーカの位置を表すマーカ位置を算出する位置算出部と、
前記マーカ位置が、前記被写体の一部を測定するときのマーカ位置である測定位置と一致した場合、予め決められた制御処理を行う制御部と
して機能させるためのプログラム。
【請求項１８】
ユーザに接近した状態で測定を行う測定器と、前記ユーザ及び前記測定器を撮像する撮像部を有する情報処理装置から構成される測定システムにおいて、
前記測定器は、
接近した状態でユーザの一部を測定する測定部と、
前記測定器の筐体に設けられたマーカと
を有し、
前記情報処理装置は、
前記測定器に設けられた前記マーカを、前記ユーザとともに撮像する撮像部と、
前記撮像部による撮像で得られる撮像画像に基づいて、前記ユーザに対する前記マーカの位置を表すマーカ位置を算出する位置算出部と、
前記マーカ位置が、前記ユーザの一部を測定するときのマーカ位置である測定位置と一致した場合、予め決められた制御処理を行う制御部と
を有する
測定システム。
【手続補正２】
【補正対象書類名】明細書
【補正対象項目名】００８６
【補正方法】変更
【補正の内容】
【００８６】
なお、報知処理の実行時には、LED２１bは点灯中であるものとする。
【手続補正３】
【補正対象書類名】明細書
【補正対象項目名】０２８７
【補正方法】削除
【補正の内容】
【手続補正書】
【提出日】平成27年7月9日(2015.7.9)
【手続補正１】
【補正対象書類名】明細書
【補正対象項目名】０００７
【補正方法】変更
【補正の内容】
【０００７】
一実施形態の画像処理装置は、決定部と、表示制御部とを備える。決定部は、表示状況に基づいて、第１の画像であるＸ線画像及び第２の画像を動画像又は静止画像のいずれで表示させるかをそれぞれ決定する。表示制御部は、前記決定部による決定に基づいて、前記Ｘ線画像及び前記第２の画像を、動画像と動画像との組み合わせ、動画像と静止画像との組み合わせ、又は静止画像と動画像との組み合わせのいずれかで重畳させた重畳画像を表示部にて表示させるように制御する。
【手続補正２】
【補正対象書類名】特許請求の範囲
【補正対象項目名】全文
【補正方法】変更
【補正の内容】
【特許請求の範囲】
【請求項１】
表示状況に基づいて、第１の画像であるＸ線画像及び第２の画像を動画像又は静止画像のいずれで表示させるかをそれぞれ決定する決定部と、
前記決定部による決定に基づいて、前記Ｘ線画像及び前記第２の画像を、動画像と動画像との組み合わせ、動画像と静止画像との組み合わせ、又は静止画像と動画像との組み合わせのいずれかで重畳させた重畳画像を表示部にて表示させるように制御する表示制御部と、
を備える、画像処理装置。
【請求項２】
前記第２の画像が超音波画像、ＣＴ画像、ＭＲ画像、ＰＥＴ画像、ＩＶＵＳ画像、ＩＣＥ画像及びＥＭ画像のうち少なくとも１つを含む、請求項１に記載の画像処理装置。
【請求項３】
前記表示制御部は、前記重畳画像に動画像が含まれる場合に、前記Ｘ線画像及び前記第２の画像の位相を同期させて重畳させる、請求項１又は２に記載の画像処理装置。
【請求項４】
前記表示制御部は、前記動画像を含む重畳画像にリアルタイムで収集されるＸ線画像を用いる場合、被検体の心電図信号において直前のＲ波から現時点までの時間を算出し、前記第２の画像においてＲ波から前記算出した時間が経過した位相の第２の画像フレームを、前記現時点のＸ線画像フレームに重畳させる、請求項３に記載の画像処理装置。
【請求項５】
前記表示制御部は、被検体の心電図信号のＲＲ間隔におけるＸ線画像フレームの位相を算出し、算出した位相と略同一の位相の第２の画像フレームを抽出し、抽出した第２の画像フレームを前記Ｘ線画像フレームに重畳させる、請求項３に記載の画像処理装置。
【請求項６】
前記表示制御部は、前記第２の画像に付与されたランドマークと、前記Ｘ線画像において、当該ランドマークに相当する領域に基づいて、略同一の位相となるＸ線画像フレーム及び第２の画像フレームを抽出し、抽出したＸ線画像フレーム及び第２の画像フレームを重畳させる、請求項３に記載の画像処理装置。
【請求項７】
前記表示制御部は、前記第２の画像がカラーマップされている場合に、前記重畳画像において、カラー変化のみを反映させる、請求項２〜６のいずれか一つに記載の画像処理装置。
【請求項８】
表示状況に基づいて、第１の画像であるＸ線画像及び第２の画像を動画像又は静止画像のいずれで表示させるかをそれぞれ決定する決定部と、
前記決定部による決定に基づいて、前記Ｘ線画像及び前記第２の画像を、動画像と動画像との組み合わせ、動画像と静止画像との組み合わせ、又は静止画像と動画像との組み合わせのいずれかで重畳させた重畳画像を表示部にて表示させるように制御する表示制御部と、
を備える、Ｘ線診断装置。
【請求項９】
表示状況に基づいて、第１の画像であるＸ線画像及び第２の画像を動画像又は静止画像のいずれで表示させるかをそれぞれ決定する決定手順と、
前記決定手順による決定に基づいて、前記Ｘ線画像及び前記第２の画像を、動画像と動画像との組み合わせ、動画像と静止画像との組み合わせ、又は静止画像と動画像との組み合わせのいずれかで重畳させた重畳画像を表示部にて表示させるように制御する表示制御手順と、
をコンピュータに実行させることを特徴とするプログラム。
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機であって、
前段演出と、前記前段演出の後に実行可能な後段演出とにより構成され、遊技者による操作を受け付ける操作演出を実行する操作演出手段と、
前記操作演出の実行中における前記遊技者の操作状態を検出する操作状態検出手段と、
前記操作状態検出手段により検出された前記前段演出の実行中における前記遊技者の操作状態に応じて、前記後段演出の内容を変化させる後段演出制御手段と、
前記後段演出の実行中に、前記操作状態検出手段により検出された前記遊技者の操作状態が所定の操作条件を満たしたときに、前記遊技者に特典を付与する特典付与手段と、
前記操作演出の実行中に、操作を促す報知演出を実行する報知演出実行手段とを備えることを特徴とする遊技機。
【手続補正２】
【補正対象書類名】明細書
【補正対象項目名】０００７
【補正方法】変更
【補正の内容】
【０００７】
（１）上記目的を達成するため、本願の第１の観点に係る遊技機は、
所定の遊技を実行可能な遊技機（例えばパチンコ遊技機１など）であって、
前段演出と、前記前段演出の後に実行可能な後段演出とにより構成され、遊技者による操作を受け付ける操作演出を実行する操作演出手段（例えばステップＳ５７６、及び、ステップＳ５９３の処理を実行する演出制御用ＣＰＵ１２０など）と、
前記操作演出の実行中における前記遊技者の操作状態を検出する操作状態検出手段（例えばステップＳ５７９、ステップＳ５８０、及び、ステップＳ５９６の処理を実行する演出制御用ＣＰＵ１２０など）と、
前記操作状態検出手段により検出された前記前段演出の実行中における前記遊技者の操作状態に応じて、前記後段演出の内容を変化させる後段演出制御手段（例えばステップＳ５８７〜ステップＳ５９２の処理を実行する演出制御用ＣＰＵ１２０など）と、
前記後段演出の実行中に、前記操作状態検出手段により検出された前記遊技者の操作状態が所定の操作条件を満たしたときに、前記遊技者に特典を付与する特典付与手段（例えばステップＳ７０１〜ステップＳ７１０の処理を実行する演出制御用ＣＰＵ１２０など）と、
前記操作演出の実行中に、操作を促す報知演出を実行する報知演出実行手段（例えば、ステップＳ５７６の処理を実行して図４１の「ここに来たらボタンをＰＵＳＨ！！」の文字を表示させたり、ステップＳ５９３の処理を実行して図４２の「ボタンを連打せよ！！」の文字を表示させる演出制御用ＣＰＵ１２０など）とを備えることを特徴とする。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
送風するファンと、
左右に分割され、前記ファンからの風の上下方向の向きを調節する上下風向板と、
水平方向に対する左側の前記上下風向板の角度を、水平方向に対する右側の前記上下風向板の角度よりも小さい角度で固定する第１制御と、水平方向に対する左側の前記上下風向板の角度を、水平方向に対する右側の前記上下風向板の角度よりも大きい角度で固定する第２制御とを交互に繰り返す制御部と
を備えることを特徴とする送風機。
【請求項２】
前記制御部は、前記第１制御と前記第２制御とを一定時間ごとに切り替えることを特徴とする請求項１の送風機。
【請求項３】
左側及び右側の前記上下風向板は、上下方向に２枚ずつ設けられ、
前記制御部は、前記第１制御では、水平方向に対する左上側の前記上下風向板の角度を、水平方向に対する右上側の前記上下風向板の角度よりも小さい角度で固定するとともに、水平方向に対する左下側の前記上下風向板の角度を、水平方向に対する右下側の前記上下風向板の角度よりも小さい角度で固定し、前記第２制御では、水平方向に対する左上側の前記上下風向板の角度を、水平方向に対する右上側の前記上下風向板の角度よりも大きい角度で固定するとともに、水平方向に対する左下側の前記上下風向板の角度を、水平方向に対する右下側の前記上下風向板の角度よりも大きい角度で固定することを特徴とする請求項１又は２の送風機。
【請求項４】
前記制御部は、前記第１制御では、水平方向に対する左下側の前記上下風向板の角度を、左下側の前記上下風向板の先端が右上側の前記上下風向板の先端よりも下に位置する角度で固定し、前記第２制御では、水平方向に対する左上側の前記上下風向板の角度を、左上側の前記上下風向板の先端が右下側の前記上下風向板の先端よりも上に位置する角度で固定することを特徴とする請求項３の送風機。
【請求項５】
左右に複数枚ずつ設けられ、前記ファンからの風の左右方向の向きを調節する左右風向板と、
人体が存在する位置を検知するセンサと
を備え、
前記制御部は、前記センサにより検知された人体が存在する位置に応じて、左側及び右側の前記左右風向板の向きを調節することを特徴とする請求項１から４のいずれかの送風機。
【請求項６】
前記制御部は、前記センサにより検知された人体が存在する位置が正面方向の場合、左側の前記左右風向板の向きを正面方向よりも右側に調節し、右側の前記左右風向板の向きを正面方向よりも左側に調節することを特徴とする請求項５の送風機。
【請求項７】
前記制御部は、前記センサにより検知された人体が存在する位置が正面方向よりも左側の場合、左側の前記左右風向板の向きを正面方向又は正面方向よりも左側に調節し、右側の前記左右風向板の向きを左側の前記左右風向板の向きよりも左側に調節することを特徴とする請求項５又は６の送風機。
【請求項８】
前記制御部は、前記センサにより検知された人体が存在する位置が正面方向よりも右側の場合、右側の前記左右風向板の向きを正面方向又は正面方向よりも右側に調節し、左側の前記左右風向板の向きを右側の前記左右風向板の向きよりも右側に調節することを特徴とする請求項５から７のいずれかの送風機。
【請求項９】
前記制御部は、前記センサにより複数の人体が存在する位置が検知された場合、当該複数の人体が存在する位置のうち最も左側の人体が存在する位置に応じて、左側及び右側の前記左右風向板の向きを調節する第３制御と、当該複数の人体が存在する位置のうち最も右側の人体が存在する位置に応じて、左側及び右側の前記左右風向板の向きを調節する第４制御とを交互に繰り返すことを特徴とする請求項５から８のいずれかの送風機。
【請求項１０】
前記制御部は、前記第３制御と前記第４制御とを一定時間ごとに切り替えることを特徴とする請求項９の送風機。
【請求項１１】
前記制御部は、前記第３制御を１回行う間に、前記第１制御と前記第２制御とを１回ずつ行い、前記第４制御を１回行う間に、前記第１制御と前記第２制御とを１回ずつ行うことを特徴とする請求項９又は１０の送風機。
【請求項１２】
前記制御部は、前記センサにより複数の人体が存在する位置が検知された場合、当該複数の人体が存在する位置のそれぞれを順番に選択し、選択した人体が存在する位置に応じて、左側及び右側の前記左右風向板の向きを調節する第５制御を繰り返すことを特徴とする請求項５から８のいずれかの送風機。
【請求項１３】
前記制御部は、前記第５制御を１回行う間に、前記第１制御と前記第２制御とを１回ずつ行うことを特徴とする請求項１２の送風機。
【請求項１４】
前記ファンを駆動するファンモータ
を備え、
前記制御部は、前記第１制御を行っているときと前記第２制御を行っているときは、前記ファンの風速が、正弦波状の波形パターンと、前記波形パターンの周期ごとに前記波形パターンの１／４周期未満の幅をもち前記波形パターンの振幅以上の高さをもつ山状の変動パターンとを含む複数のパターンを合わせた合成パターンで経時変化するように、前記ファンモータを制御することを特徴とする請求項１から１３のいずれかの送風機。
【請求項１５】
送風するファンと、左右に分割され、前記ファンからの風の上下方向の向きを調節する上下風向板とを備える送風機の制御方法において、
水平方向に対する左側の前記上下風向板の角度を、水平方向に対する右側の前記上下風向板の角度よりも小さい角度で固定する第１制御と、水平方向に対する左側の前記上下風向板の角度を、水平方向に対する右側の前記上下風向板の角度よりも大きい角度で固定する第２制御とを交互に繰り返すことを特徴とする送風機の制御方法。
【手続補正書】
【提出日】平成27年3月19日(2015.3.19)
【手続補正１】
【補正対象書類名】明細書
【補正対象項目名】００２０
【補正方法】変更
【補正の内容】
【００２０】
原料であるケラチンとしては、ケラチンを構成蛋白質として含む羊毛（メリノ種羊毛、リンカーン種羊毛等）、人毛、獣毛、爪等が挙げられる。中でも、安価かつ安定的に入手可能な羊毛が好ましい。この羊毛等の原料については、殺菌、脱脂、洗浄、切断、粉砕及び乾燥を適宜に組み合わせて、予め処理するとよい。
【手続補正書】
【提出日】平成27年3月25日(2015.3.25)
【手続補正１】
【補正対象書類名】明細書
【補正対象項目名】０００５
【補正方法】変更
【補正の内容】
【０００５】
しかしながら、上記特許文献１に開示されたパチンコ機の場合、大当りの種類に応じて転落確率を設定するので、遊技者が転落したことによる確率状態の変化に気付き難い。
【手続補正２】
【補正対象書類名】明細書
【補正対象項目名】０００６
【補正方法】変更
【補正の内容】
【０００６】
本発明の課題は、転落抽選を行う遊技機において、遊技者が確率状態の変化に気付き易くすることにある。
【手続補正３】
【補正対象書類名】明細書
【補正対象項目名】０００７
【補正方法】変更
【補正の内容】
【０００７】
上記の課題を解決するため、請求項１に記載の発明は、
複数の識別情報を変動表示する変動表示ゲームを表示可能な変動表示装置と、始動入賞領域への遊技球の入賞に基づいて取得した複数の乱数値の判定結果に基づいて前記変動表示ゲームの進行制御を行う遊技制御手段と、前記変動表示装置における表示制御を行う演出制御手段と、を備え、
前記変動表示ゲームの結果が予め定められた特別結果となる場合に遊技者に遊技価値を付与する特別遊技状態を発生可能な遊技機において、
前記遊技制御手段は、
前記変動表示ゲームの結果が前記特別結果となる確率状態として、通常確率状態よりも確率を高めた高確率状態を設定可能な確率設定手段と、
前記高確率状態である場合に、前記変動表示ゲームの実行毎に前記通常確率状態へ移行させるか否かを決定するための転落抽選を行う転落抽選手段と、
を備え、
前記演出制御手段は、
前記複数の識別情報の変動態様のうち、前記確率状態に対応した変動態様を実行可能な演出実行手段を備え、
前記演出実行手段は、
前記確率設定手段によって前記高確率状態が設定されている場合に第１変動態様を実行可能とし、前記転落抽選手段によって前記通常確率状態へ移行させると決定された場合に前記第１変動態様とは異なる第２変動態様を実行可能とすることを特徴とする。
【手続補正４】
【補正対象書類名】明細書
【補正対象項目名】０００８
【補正方法】変更
【補正の内容】
【０００８】
請求項１に記載の発明によれば、確率設定手段によって高確率状態が設定されている場合に第１変動態様を実行可能とし、転落抽選手段によって通常確率状態へ移行させると決定された場合に第１変動態様とは異なる第２変動態様を実行することができるので、遊技者が確率状態の変化に気付き易くなる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明によれば、遊技者が確率状態の変化に気付き易い。
【手続補正１４】
【補正対象書類名】特許請求の範囲
【補正対象項目名】全文
【補正方法】変更
【補正の内容】
【特許請求の範囲】
【請求項１】
複数の識別情報を変動表示する変動表示ゲームを表示可能な変動表示装置と、始動入賞領域への遊技球の入賞に基づいて取得した複数の乱数値の判定結果に基づいて前記変動表示ゲームの進行制御を行う遊技制御手段と、前記変動表示装置における表示制御を行う演出制御手段と、を備え、
前記変動表示ゲームの結果が予め定められた特別結果となる場合に遊技者に遊技価値を付与する特別遊技状態を発生可能な遊技機において、
前記遊技制御手段は、
前記変動表示ゲームの結果が前記特別結果となる確率状態として、通常確率状態よりも確率を高めた高確率状態を設定可能な確率設定手段と、
前記高確率状態である場合に、前記変動表示ゲームの実行毎に前記通常確率状態へ移行させるか否かを決定するための転落抽選を行う転落抽選手段と、
を備え、
前記演出制御手段は、
前記複数の識別情報の変動態様のうち、前記確率状態に対応した変動態様を実行可能な演出実行手段を備え、
前記演出実行手段は、
前記確率設定手段によって前記高確率状態が設定されている場合に第１変動態様を実行可能とし、前記転落抽選手段によって前記通常確率状態へ移行させると決定された場合に前記第１変動態様とは異なる第２変動態様を実行可能とすることを特徴とする遊技機。
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
複数列の図柄を変動表示し、前記複数列の図柄の変動を停止させるために設けられた複数の操作手段に対して行われる操作の順序を少なくとも音によって報知する遊技機であって、
前記複数の操作手段のうち、操作すべき操作手段を報知する報知音を当該操作手段が操作される前のタイミングで出音し、先行する操作手段が操作されると、次に操作すべき操作手段を報知する報知音を当該操作手段が操作される前のタイミングで出音することにより、前記複数の操作手段の操作順序を順次報知する報知手段と、
前記複数の操作手段のうち、操作すべき操作手段を表示情報によって報知可能な表示手段と、
前記複数列の図柄のうち、少なくとも一つの列の図柄について、前記報知音が出音され対応する操作手段が操作されて図柄の変動が停止され、次に操作すべき操作手段についての前記報知音が出音された後に電源断が生じた場合に、電源復帰時において前記報知音に関する制御を再開する再開手段と、
電源復帰時において前記複数列の図柄を電源断が生じたときの状態にそれぞれ復帰させる図柄状態復帰手段と、を備え、
前記図柄状態復帰手段は、
前記複数列の図柄のうち、前記操作手段が操作された列以外の他の列の図柄を変動状態に復帰させ、
前記再開手段は、
前記他の列の図柄が変動状態に復帰したときに、前記電源断前に既に出音され対応する操作手段の操作が完了している報知音は再度出音させず、対応する操作手段が操作されておらず、かつ、少なくとも前記電源断前に出音が完了している報知音は、対応する報知音を再度出音させる
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明は、遊技利益を確実に享受させる遊技機の提供を目的とする。
【手続補正６】
【補正対象書類名】明細書
【補正対象項目名】００１１
【補正方法】変更
【補正の内容】
【００１１】
上記目的を達成するため、本発明の遊技機は、複数列の図柄を変動表示し、前記複数列の図柄の変動を停止させるために設けられた複数の操作手段に対して行われる操作の順序を少なくとも音によって報知する遊技機であって、前記複数の操作手段のうち、操作すべき操作手段を報知する報知音を当該操作手段が操作される前のタイミングで出音し、先行する操作手段が操作されると、次に操作すべき操作手段を報知する報知音を当該操作手段が操作される前のタイミングで出音することにより、前記複数の操作手段の操作順序を順次報知する報知手段と、前記複数の操作手段のうち、操作すべき操作手段を表示情報によって報知可能な表示手段と、前記複数列の図柄のうち、少なくとも一つの列の図柄について、前記報知音が出音され対応する操作手段が操作されて図柄の変動が停止され、次に操作すべき操作手段についての前記報知音が出音された後に電源断が生じた場合に、電源復帰時において前記報知音に関する制御を再開する再開手段と、電源復帰時において前記複数列の図柄を電源断が生じたときの状態にそれぞれ復帰させる図柄状態復帰手段と、を備え、前記図柄状態復帰手段は、前記複数列の図柄のうち、前記操作手段が操作された列以外の他の列の図柄を変動状態に復帰させ、前記再開手段は、前記他の列の図柄が変動状態に復帰したときに、前記電源断前に既に出音され対応する操作手段の操作が完了している報知音は再度出音させず、対応する操作手段が操作されておらず、かつ、少なくとも前記電源断前に出音が完了している報知音は、対応する報知音を再度出音させる構成としてある。
【手続補正７】
【補正対象書類名】明細書
【補正対象項目名】００１２
【補正方法】削除
【補正の内容】
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
患者に装着又は保持される距離情報取得部であって前記患者の周囲にある物体までの距離情報を所定の基準座標系に基づき複数の測定方向で取得する距離情報取得部と、
該距離情報取得部で取得された前記距離情報のうち、前記基準座標系の略水平方向にある物体の距離情報を水平距離に換算すると共に、前記基準座標系の水平方向の基準に対して上方向又は下方向の鉛直方向にある物体の距離情報を高さに換算する距離情報演算手段と、
該距離情報演算手段で求められた水平距離又は高さに応じて異なる刺激信号を前記患者に対して出力する刺激信号出力部と、
を備えることを特徴とする空間認識装置。
【請求項２】
請求項１の空間認識装置において、
前記距離情報取得部は前記基準座標系の鉛直方向に対する傾斜角度を検知するための姿勢センサーとを有し、
前記姿勢センサーの検知結果に基づき前記物体の鉛直方向の距離情報を補正する補正手段とを備えることを特徴とする空間認識装置。
間認識装置。
【請求項３】
請求項１又は２の空間認識装置において、
前記刺激信号出力部は、患者の聴覚を刺激するための音、患者の触覚で検知される振動又は電気刺激、視覚を誘発させる電気刺激のうちの少なくとも一つ発生するものであり、水平距離及び高さのうち少なくとも一方の情報に応じて刺激の強さを変化させることを特徴とする空間認識装置。
【請求項４】
請求項３の空間認識装置において、
前記刺激信号出力部は、患者の聴覚を刺激する音を発生するものであり、前記基準座標系の各測定方向で検出された物体の距離情報に基づき、異なる周波数、周波数帯域、位相又は振幅の一つまたは複数の組み合わせによる刺激信号を出力することを特徴とする空間認識装置。
【手続補正２】
【補正対象書類名】明細書
【補正対象項目名】０００９
【補正方法】変更
【補正の内容】
【０００９】
（１）  患者に装着又は保持される距離情報取得部であって前記患者の周囲にある物体までの距離情報を所定の基準座標系に基づき複数の測定方向で取得する距離情報取得部と、該距離情報取得部で取得された前記距離情報のうち、前記基準座標系の略水平方向にある物体の距離情報を水平距離に換算すると共に、前記基準座標系の水平方向の基準に対して上方向又は下方向の鉛直方向にある物体の距離情報を高さに換算する距離情報演算手段と、該距離情報演算手段で求められた水平距離又は高さに応じて異なる刺激信号を前記患者に対して出力する刺激信号出力部と、を備えることを特徴とする。
（２）  （１）の空間認識装置において、前記距離情報取得部は前記基準座標系の鉛直方向に対する傾斜角度を検知するための姿勢センサーとを有し、前記姿勢センサーの検知結果に基づき前記物体の鉛直方向の距離情報を補正する補正手段とを備えることを特徴とする。
（３）  （１）又は（２）の空間認識装置において、前記刺激信号出力部は、患者の聴覚を刺激するための音、患者の触覚で検知される振動又は電気刺激、視覚を誘発させる電気刺激のうちの少なくとも一つ発生するものであり、水平距離及び高さのうち少なくとも一方の情報に応じて刺激の強さを変化させることを特徴とする。
（４）  （３）の空間認識装置において、前記刺激信号出力部は、患者の聴覚を刺激する音を発生するものであり、前記基準座標系の各測定方向で検出された物体の距離情報に基づき、異なる周波数、周波数帯域、位相又は振幅の一つまたは複数の組み合わせによる刺激信号を出力することを特徴とする。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
遊戯価値付加用の移動体を第１領域と第２領域のいずれかに振り分ける振り分け手段と、
前記移動体を検出する検出手段と、
前記検出手段による検出結果に基づいて、前記移動体が前記第１領域と前記第２領域のいずれに振り分けられたかを判断する判断手段と、
前記判断手段での判断に基づいて、前記移動体の実際の振り分け割合を算出する算出手段と、
前記算出手段により算出された実際の振り分け割合を記憶する第１記憶手段と、
予め設定された振り分け割合を記憶する第２記憶手段と、
前記予め設定された振り分け割合に対応する動作を前記振り分け手段にさせる駆動手段と、
前記実際の振り分け割合と前記予め設定された振り分け割合の差異量を算出し、当該差異量が所定量以上であれば、前記実際の振り分け割合を前記予め設定された振り分け割合になるように前記振り分け手段の動作を変更する制御手段と、
を備える遊戯装置。
【請求項２】
前記制御手段は、前記検出手段により検出された前記移動体の数が所定数に達した場合に、前記実際の振り分け割合と前記予め設定された振り分け割合の差異量を算出するものである、請求項１に記載の遊戯装置。
【請求項３】
前記移動体は種類が複数あり、前記第１領域は、当該移動体を載置しておくことが可能なフィールドである、請求項１または２に記載の遊戯装置。
【請求項４】
前記振り分け手段は、前記予め設定された振り分け割合に対応する振り幅で揺動する揺動装置によって揺動され、前記制御手段は、前記振り分け手段の振り幅を変更するものである、請求項１から３のいずれか一項に記載の遊戯装置。
【請求項５】
前記振り分け手段は、当該振り分け手段上に供給された前記移動体が当該振り分け手段上に留まる時間を長くする移動領域規制手段を備えるものである、請求項１から４のいずれか一項に記載の遊戯装置。
【手続補正書】
【提出日】平成27年4月2日(2015.4.2)
【手続補正１】
【補正対象書類名】特許請求の範囲
【補正対象項目名】請求項３
【補正方法】変更
【補正の内容】
【請求項３】
前記吐出口の上側開口部と下側開口部のそれぞれの中心を通り基板面に垂直な面による前記吐出口の断面において、両方の側壁が基板面の垂直方向に対して同じ側に傾いている請求項１又は２に記載の液体吐出ヘッドの製造方法。
【手続補正２】
【補正対象書類名】特許請求の範囲
【補正対象項目名】請求項１０
【補正方法】変更
【補正の内容】
【請求項１０】
前記開口の上側開口部と下側開口部のそれぞれの中心を通り基板面に垂直な面による前記開口の断面において、両方の側壁が基板面の垂直方向に対して同じ側に傾いている請求項８又は９に記載の露光方法。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
多角形状の表面形成面に、同心円状に配列された複数の円形状の輪帯形成面と前記複数の円形状の輪帯形成面の外側に複数の円弧状の輪帯形成面とが形成された鏡面駒と、前記鏡面駒を囲う金型本体とによりキャビティを形成し、前記キャビティの側壁面に連通するゲートを通じて前記キャビティに溶融樹脂を射出すると共に、前記キャビティに気体を注入するガスアシスト射出成形によって、前記表面形成面の形状を樹脂の表面に転写し、複数の輪帯面を有するフレネルレンズを有する部品を製造する部品の製造方法において、
前記表面形成面において前記ゲートから最も遠い頂点に隣接する２辺に両端が接する円弧状の輪帯形成面のうち、前記ゲートに最も近い円弧状の輪帯形成面の位置を基準位置として、前記溶融樹脂が前記基準位置に到達するまでは、第１の速度で前記ゲートから前記キャビティに前記溶融樹脂を射出し、
前記溶融樹脂が前記基準位置に到達した後は、前記第１の速度よりも遅い第２の速度で前記ゲートから前記キャビティに前記溶融樹脂を射出することを特徴とする部品の製造方法。
【請求項２】
前記表面形成面が長方形であることを特徴とする請求項１に記載の部品の製造方法。
【請求項３】
前記第２の速度は、前記溶融樹脂が前記頂点の位置に向かうに連れて漸次減速するように設定されていることを特徴とする請求項１又は２に記載の部品の製造方法。
【請求項４】
前記第２の速度は、０．１２ｃｍ３／ｓ以上０．３７ｃｍ３／ｓ以下の範囲内であることを特徴とする請求項１乃至３のいずれか１項に記載の部品の製造方法。
【請求項５】
請求項１乃至４のいずれか１項に記載の部品の製造方法で製造されたことを特徴とするフォーカシングスクリーン。
【手続補正２】
【補正対象書類名】明細書
【補正対象項目名】発明の名称
【補正方法】変更
【補正の内容】
【発明の名称】部品の製造方法及びフォーカシングスクリーン
【手続補正３】
【補正対象書類名】明細書
【補正対象項目名】０００１
【補正方法】変更
【補正の内容】
【０００１】
本発明は、金型内に気体の注入を伴うガスアシスト射出成形によって製造するフレネルレンズを有する部品の製造方法及びこの製造方法で製造されたフォーカシングスクリーンに関する。
【手続補正４】
【補正対象書類名】明細書
【補正対象項目名】００１０
【補正方法】変更
【補正の内容】
【００１０】
そこで、本発明は、良好な外観のフレネルレンズを有する部品を製造することを目的とするものである。
【手続補正５】
【補正対象書類名】明細書
【補正対象項目名】００１１
【補正方法】変更
【補正の内容】
【００１１】
本発明は、多角形状の表面形成面に、同心円状に配列された複数の円形状の輪帯形成面と前記複数の円形状の輪帯形成面の外側に複数の円弧状の輪帯形成面とが形成された鏡面駒と、前記鏡面駒を囲う金型本体とによりキャビティを形成し、前記キャビティの側壁面に連通するゲートを通じて前記キャビティに溶融樹脂を射出すると共に、前記キャビティに気体を注入するガスアシスト射出成形によって、前記表面形成面の形状を樹脂の表面に転写し、複数の輪帯面を有するフレネルレンズを有する部品を製造する部品の製造方法において、前記表面形成面において前記ゲートから最も遠い頂点に隣接する２辺に両端が接する円弧状の輪帯形成面のうち、前記ゲートに最も近い円弧状の輪帯形成面の位置を基準位置として、前記溶融樹脂が前記基準位置に到達するまでは、第１の速度で前記ゲートから前記キャビティに前記溶融樹脂を射出し、前記溶融樹脂が前記基準位置に到達した後は、前記第１の速度よりも遅い第２の速度で前記ゲートから前記キャビティに前記溶融樹脂を射出することを特徴とする。
【手続補正６】
【補正対象書類名】明細書
【補正対象項目名】００１２
【補正方法】変更
【補正の内容】
【００１２】
本発明によれば、射出した溶融樹脂が、ゲートから最も遠い頂点に隣接する２辺に両端が接する円弧状の輪帯形成面のうち、ゲートに最も近い円弧状の輪帯形成面の位置に達した後に、射出速度が第１の速度から第２の速度に減速される。これにより、溶融樹脂が円弧溝に達する前に、気体が溶融樹脂に十分に溶解する。したがって、溶融樹脂の粘度を効果的に低下させることができ、良好な外観のフレネルレンズを有する部品を製造することができる。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
基材の一方の面に透明導電膜が形成された透明導電性フィルムの、他方の面に貼合して使用される透明導電性フィルム用表面保護フィルムであって、ロール体から巻き戻されてなり、可撓性を有する基材フィルムの片面に粘着剤層が積層され、前記粘着剤層の被着面に貼合される表面上に、剥離処理された剥離フィルムが、前記剥離処理された面を介して積層され、前記剥離フィルムの厚みが５０μｍ〜２５０μｍであり、且つ、前記剥離フィルムの４０℃における剛軟度が０．３０ｍＮ〜４０ｍＮであり、
前記透明導電性フィルム用表面保護フィルムの前記基材フィルムが、ポリエチレンテレフタレート樹脂フィルムであり、前記基材フィルムの厚みが１００μｍ〜２５０μｍであり、前記粘着剤層の厚みが、前記基材フィルムの厚みの１／２０〜１／５の厚みであり、被着体である前記他方の面に対する剥離強度が０．０３〜０．３Ｎ／２５ｍｍであることを特徴とする透明導電性フィルム用表面保護フィルム。
【請求項２】
請求項１に記載の透明導電性フィルム用表面保護フィルムが、ロール状に巻かれた透明導電性フィルム用表面保護フィルムのロール体。
【請求項３】
請求項１又は２に記載の透明導電性フィルム用表面保護フィルムが、基材の一方の面に透明導電膜が形成された透明導電性フィルムの、他方の面に貼合された透明導電性フィルム。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
インクを噴射する液体噴射ヘッドと、
前記液体噴射ヘッドを収容する本体筐体と、
前記本体筐体とは別体に構成されて、係合部を有し、前記インクを貯留するインクタン
クと、
前記液体噴射ヘッドと前記インクタンクとを連通する液体チューブと、
前記本体筐体の側面に配設されて、前記係合部と係合可能な被係合部を有する連結部材
と、を備え、
前記インクタンクは、前記連結部材に着脱可能に係合することを特徴とする記録装置。
【請求項２】
請求項１に記載の記録装置であって、
前記本体筐体は、第１の本体筐体と、前記第１の本体筐体と接続可能な第２の本体筐体とを含んで構成されることを特徴
とする記録装置。
【請求項３】
請求項１に記載の記録装置であって、
前記連結部材は、前記液体チューブが通る開口部を有することを特徴とする記録装置。
【請求項４】
請求項１に記載の記録装置であって、
前記被係合部は、鉛直方向上側が開口する凹部を有することを特徴とする記録装置。
【請求項５】
請求項１から請求項４のいずれか一項に記載の記録装置であって、
前記インクタンクは、インクを貯留する貯留容器と前記貯留容器を収容する収容ケース
とを備えたことを特徴とする記録装置。
【手続補正２】
【補正対象書類名】明細書
【補正対象項目名】０００６
【補正方法】変更
【補正の内容】
【０００６】
［適用例１］インクを噴射する液体噴射ヘッドと、前記液体噴射ヘッドを収容する本体
筐体と、前記本体筐体とは別体に構成されて、係合部を有し、前記インクを貯留するイン
クタンクと、前記液体噴射ヘッドと前記インクタンクとを連通する液体チューブと、前記
本体筐体の側面に配設されて、前記係合部と係合可能な被係合部を有する連結部材と、を
備え、前記インクタンクは、前記連結部材に着脱可能に係合することを特徴とする記録装
置。
【手続補正３】
【補正対象書類名】明細書
【補正対象項目名】０００７
【補正方法】変更
【補正の内容】
【０００７】
本適用例によれば、液体噴射ヘッドを収容する本体筐体と、本体筐体の側面に配設され
て、係合部と係合可能な被係合部を有する連結部材を備える。これにより、形や大きさの
異なる複数の本体筐体に共通の連結部材としてそれぞれ備えることができる。そのため、
形や大きさの異なる本体筐体を備えたそれぞれの記録装置の製造コストの上昇を抑制でき
る。
【手続補正４】
【補正対象書類名】明細書
【補正対象項目名】０００８
【補正方法】変更
【補正の内容】
【０００８】
［適用例２］前記本体筐体は、第１の本体筐体と、前記第１の本体筐体と接続可能な第２の本体筐体とを含んで構成されることを特徴とする上記記録装置。
【手続補正５】
【補正対象書類名】明細書
【補正対象項目名】００１０
【補正方法】変更
【補正の内容】
【００１０】
［適用例３］前記連結部材は、前記液体チューブが通る開口部を有することを特徴とす
る上記記録装置。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
インクを噴射する液体噴射ヘッドと、
前記液体噴射ヘッドを収容する筐体とは別体に構成され、前記インクを貯留するイン
クタンクと、
前記液体噴射ヘッドと前記インクタンクとを連通する液体チューブと、
前記筐体の側面から突出し、前記インクタンクの底部を支持する支持部と
、を備えることを特徴とする記録装置。
【請求項２】
請求項１に記載の記録装置であって、
前記支持部の底部は、鉛直方向において前記筐体の底部より下側の位置にあることを特
徴とする記録装置。
【請求項３】
請求項１に記載の記録装置であって、
前記支持部の底部は、鉛直方向において前記筐体の底部と同じ位置にあることを特
徴とする記録装置。
【請求項４】
請求項１から請求項３のいずれか一項に記載の記録装置であって、
前記支持部は、前記側面の奥行き方向に沿って延びる平面を有する台座であることを特
徴とする記録装置。
【請求項５】
請求項１から請求項４のいずれか一項に記載の記録装置であって、
前記支持部の端部に、鉛直方向上側に突出する突出部が設けられたことを特徴とする記
録装置。
【請求項６】
請求項５に記載の記録装置であって、
前記突出部は、壁部であることを特徴とする記録装置。
【請求項７】
請求項１から請求項６のいずれか一項に記載の記録装置であって、
前記支持部は、前記筐体と一体で形成されていることを特徴とする記録装置。
【請求項８】
請求項１から請求項６のいずれか一項に記載の記録装置であって、
前記支持部は、前記筐体と別体で形成されていることを特徴とする記録装置。
【請求項９】
請求項１から請求項８のいずれか一項に記載の記録装置であって、
前記インクタンクは、インクを貯留する貯留容器と前記貯留容器を収容する収容ケース
とを備えたことを特徴とする記録装置。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
インクを噴射する液体噴射ヘッドと、
前記液体噴射ヘッドが収容される筐体とは別体に構成されて、係合部を有し、前記イン
クを貯留するインクタンクと、
前記液体噴射ヘッドと前記インクタンクとを連通する液体チューブと、
鉛直方向における前記筐体の上部に回動支点が設けられて、回動する回動部と、
前記筐体の一部に形成されて、前記係合部と係合可能な被係合
部と、を備え、
前記インクタンクは、前記筐体に着脱可能に装着されることを特徴とする記録装置。
【請求項２】
請求項１に記載の記録装置であって、
前記被係合部は、前記鉛直方向における前記筐体の上端部に形成されていることを特徴とする記録装置。
【請求項３】
請求項１または請求項２に記載の記録装置であって、
前記筐体の上部に備えられ、原稿が載置される原稿台と、
前記筐体内部に備えられて、前記原稿に描かれた画像を読み取るセンサーユニットと、
を備え、
前記回動部は、前記原稿台を覆うことができる原稿台カバーであり、前記原稿台カバー
が前記原稿台を覆う状態において、前記鉛直方向における前記上端部の位置は、前記原稿
台カバーの下面の位置にあることを特徴とする記録装置。
【請求項４】
請求項１または請求項２に記載の記録装置であって、
前記回動部は、前記筐体とは別体に構成されて、画像を読み取るセンサーユニットが収
容された読み取り部筐体であることを特徴とする記録装置。
【請求項５】
請求項１から請求項４のいずれか一項に記載の記録装置であって、
前記係合部は、前記インクタンクから突出する第１の突出部と、前記第１の突出部から
前記鉛直方向下側に突出する第２の突出部とを有するフックであることを特徴とする記録
装置。
【請求項６】
請求項１から請求項４のいずれか一項に記載の記録装置であって、
前記係合部は、ネジが貫通するための貫通孔が形成された突出部であり、前記被係合部
は、ネジ穴であることを特徴とする記録装置。
【請求項７】
請求項１から請求項６のいずれか一項に記載の記録装置であって、
前記係合部は、前記インクタンクから突出し、前記インクタンクの幅方向に延びる第１
の板状部と、前記第１の板状部から前記鉛直方向下側に突出し、前記インクタンクの幅方
向に延びる第２の板状部とを有し、前記被係合部は、前記上端部から前記鉛直方向上側に
突出し、前記第２の板状部と係合可能な面を有することを特徴とする記録装置。
【請求項８】
請求項３に記載の記録装置であって、
前記インクタンクが前記筐体に装着されて、前記原稿台カバーが前記原稿台を覆う状態
において、前記原稿台カバーに前記係合部が重ならないように切り欠き部が形成されてい
ることを特徴とする記録装置。
【請求項９】
請求項１または請求項５に記載の記録装置であって、
前記係合部は、前記回動部と前記筐体との間の筐体の縁の被係合部と係合することを特徴とする記録装置。
【請求項１０】
請求項１から請求項９のいずれか一項に記載の記録装置であって、
前記液体チューブは、前記回動部と前記筐体との隙間を利用して、前記液体噴射ヘッドと前記インクタンクとを連通することを特徴とする記録装置。
【請求項１１】
請求項１から請求項１０のいずれか一項に記載の記録装置であって、
前記インクタンクは、インクを貯留する貯留容器と前記貯留容器を収容する収容ケース
とを備えたことを特徴とする記録装置。
【手続補正２】
【補正対象書類名】明細書
【補正対象項目名】０００６
【補正方法】変更
【補正の内容】
【０００６】
［適用例１］インクを噴射する液体噴射ヘッドと、前記液体噴射ヘッドが収容される筐
体とは別体に構成されて、係合部を有し、前記インクを貯留するインクタンクと、前記液
体噴射ヘッドと前記インクタンクとを連通する液体チューブと、鉛直方向における前記筐
体の上部に回動支点が設けられて、回動する回動部と、前記筐体の一部に形成されて、前記係合部と係合可能な被係合部と、を備え、前記インクタンクは、前記筐体に着脱可能に装着されることを特徴とし、さらに、被係合部は、鉛直方向における筐体の上端部に形成されることを特徴とする。
【手続補正書】
【提出日】平成27年3月16日(2015.3.16)
【手続補正１】
【補正対象書類名】特許請求の範囲
【補正対象項目名】請求項６
【補正方法】変更
【補正の内容】
【請求項６】
前記細溝の幅が５０μｍ以上４００μｍ以下であり、
前記細溝の深さが１０μｍ以上である請求項１に記載の形成方法。
【手続補正２】
【補正対象書類名】明細書
【補正対象項目名】００２２
【補正方法】変更
【補正の内容】
【００２２】
なお、ゴルフクラブヘッド１を競技用とする場合、ルールを充足する点で、隆起部３４のフェース面１０からの高さ（突出量）は５μｍ以下であることが好ましい。また、フェース面１０の表面粗さは、接触針の先端角度が３０〜６０度のコントレーサで１８０μ・ｉｎｃｈ以下であることが好ましい。
【手続補正３】
【補正対象書類名】明細書
【補正対象項目名】００２８
【補正方法】変更
【補正の内容】
【００２８】
状態ＳＴ３は側壁３１’にレーザ光ＬＢを照射している状態を示す。この場合は、レーザ光ＬＢの照射方向をフェース面１０に対して垂直な方向ｄ２から傾斜した方向ｄ３とし、フェース面１０（一次成形品１'）又は照射部４を細溝３０の形成方向に相対的に移動する。
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
車両のリアウインドウを遮蔽するシェード装置であって、
前記リアウインドウを遮蔽可能なシェードと、
前記リアウインドウの床側に配設され、前記シェードを引出収納可能に巻き取る巻取装置と、
前記シェードの引出側端部に取り付けられた長尺形状の引出部材と、
前記リアウインドウの天井側縁部の付近の車両天井に配設され、前記引出部材を前記シェードが引き出された状態で保持可能な引出保持機構部材と、
一端が前記引出部材に取り付けられ、前記引出保持機構部材を通して他端が車両前方側に配置されたワイヤーと、
を備え、
前記引出保持機構部材は、
前記ワイヤー他端の引っ張り操作により移動される前記引出部材によって押動されるスライダ部と、
前記スライダ部を、前記引出部材の移動方向に移動可能に支持する支持基部と、
前記スライダ部に連結され、前記スライダ部の押動によって前記引出部材を保持可能な保持姿勢をとり、さらに前記スライダ部の押動によって前記引出部材の保持を解除する保持解除姿勢をとるように姿勢変更可能な保持部とを含む、シェード装置。
【手続補正２】
【補正対象書類名】明細書
【補正対象項目名】０００６
【補正方法】変更
【補正の内容】
【０００６】
第１の態様は、車両のリアウインドウを遮蔽するシェード装置であって、前記リアウインドウを遮蔽可能なシェードと、前記リアウインドウの床側に配設され、前記シェードを引出収納可能に巻き取る巻取装置と、前記シェードの引出側端部に取り付けられた長尺形状の引出部材と、前記リアウインドウの天井側縁部の付近の車両天井に配設され、前記引出部材を前記シェードが引き出された状態で保持可能な引出保持機構部材と、一端が前記引出部材に取り付けられ、前記引出保持機構部材を通して他端が車両前方側に配置されたワイヤーとを備える。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、前記引出保持機構部材は、前記ワイヤーの引っ張り操作により移動される前記引出部材によって押動されるスライダ部と、前記スライダ部を、前記引出部材の移動方向に移動可能に支持する支持基部と、前記スライダ部に連結され、前記スライダ部の押動によって前記引出部材を保持可能な保持姿勢をとり、さらに前記スライダ部の押動によって前記引出部材の保持を解除する保持解除姿勢をとるように姿勢変更可能な保持部とを含む。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、第１の態様に係るシェード装置によると、引出保持機構部材は、ワイヤーの引っ張り操作により移動される引出部材によって押動されるスライダ部と、スライダ部を、引出部材の移動方向に移動可能に支持する支持基部と、スライダ部に連結され、スライダ部の押動によって引出部材を保持可能な保持姿勢をとり、さらにスライダ部の押動によって引出部材の保持を解除する保持解除姿勢をとるように姿勢変更可能な保持部とを含むように構成されている。このため、ワイヤーを引っ張るだけで引出部材を保持、保持解除することができ、より簡単にシェードの引出状態を維持すると共に収納操作することができる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】